(57)【要約】      （修正有）【課題】薬剤の使用頻度を簡便な方法によって取得する手指消毒剤測定装置を提供する。【解決手段】手指消毒剤測定装置１０は、手指衛生に用いられる薬剤を封入する容器に残存する前記薬剤の量である薬剤量を示す薬剤量情報を、通信端末装置２０から取得する薬剤量情報取得部と、薬剤量情報取得部が第１の時期に取得した薬剤量情報である第１薬剤量情報と、薬剤量情報取得部が第１の時期より前に取得した薬剤量情報である第２薬剤量情報とに基づいて、薬剤の消費量を算出する消費量算出部１２０と、消費量算出部が算出する消費量と、容器の１操作当たりの吐出量とに基づいて、容器の操作頻度を算出する操作頻度算出部１３０と、を備える。【選択図】図６
2019028613.tif 000002
【特許請求の範囲】
【請求項１】
手指衛生に用いられる薬剤を封入する容器に残存する前記薬剤の量である薬剤量を示す薬剤量情報を取得する薬剤量情報取得部と、
前記薬剤量情報取得部が第１の時期に取得した前記薬剤量情報である第１薬剤量情報と、前記薬剤量情報取得部が前記第１の時期より前に取得した前記薬剤量情報である第２薬剤量情報とに基づいて、前記薬剤の消費量を算出する消費量算出部と、
前記消費量算出部が算出する前記消費量と、前記容器の１操作当たりの吐出量とに基づいて、前記容器の操作頻度を算出する操作頻度算出部と、
を備える手指消毒剤測定装置。
【請求項２】
前記容器が設置される医療機関の患者数に応じた前記操作頻度の操作頻度基準と、前記操作頻度算出部が算出する前記操作頻度とに基づいて、手指衛生の実施状況を判定する操作頻度判定部を更に備える
請求項１に記載の手指消毒剤測定装置。
【請求項３】
前記容器を撮像する撮像部と、
前記撮像部が撮像した画像が示す前記薬剤の液面に基づいて、前記薬剤量を検出する画像検出部と、
を備え、
前記薬剤量情報取得部は、
前記画像検出部が検出した前記薬剤量を前記薬剤量情報として取得する、
請求項２に記載の手指消毒剤測定装置。
【請求項４】
前記容器には、当該容器を識別する識別情報が付され、
前記撮像部は、前記識別情報を撮像し、
前記撮像部が撮像した画像に示される前記識別情報に基づいて、前記容器を識別する容器識別部、
を更に備え、
前記消費量算出部は、
前記容器識別部が識別する前記容器毎に前記薬剤の消費量を算出し、
前記操作頻度判定部は、
前記薬剤の前記操作頻度を前記容器毎に算出する
請求項３に記載の手指消毒剤測定装置。
【請求項５】
前記容器が設置される位置には、当該位置を識別する位置識別情報が付され、
前記撮像部は、前記位置識別情報を撮像し、
前記撮像部が撮像した画像に示される前記位置識別情報に基づいて、前記位置を判定する位置判定部、
を更に備え、
前記操作頻度算出部は、
前記位置判定部が判定する前記位置毎の前記操作頻度を算出する
請求項３又は請求項４に記載の手指消毒剤測定装置。
【請求項６】
前記容器が設置される医療機関の患者は、複数の患者群に分類され、
前記医療機関は、前記患者群毎の領域に区分され、
前記操作頻度判定部は、
前記位置識別情報と、前記領域の位置を示す領域位置情報と、前記操作頻度とに基づいて、前記領域毎に前記操作頻度を判定する
請求項５に記載の手指消毒剤測定装置。
【請求項７】
前記操作頻度に基づいて、前記薬剤を使用する使用者を順位付けする順位付け部
を更に備える
請求項１から請求項６のいずれか一項に記載の手指消毒剤測定装置。
【発明の詳細な説明】
【技術分野】
【０００１】
本発明は、手指消毒剤測定装置に関する。
【背景技術】
【０００２】
病院等の医療機関では、感染症の感染予防、及び感染の拡大を抑制するため、手指衛生が適切に行われることが好ましい。
従来、手指消毒に用いられる消毒液等の薬剤を適切に手に吐出する技術が知られている（例えば、特許文献１）。
【先行技術文献】
【特許文献】
【０００３】
【特許文献１】特開平１０−７１１８８号公報
【発明の概要】
【発明が解決しようとする課題】
【０００４】
ここで、病院内において手指衛生が励行されているか否かを示す指標として、病院内に設置されている薬剤が使用された回数、すなわち使用頻度が用いられる場合がある。
本発明は、上記問題に鑑みて為されたものであり、薬剤の使用頻度を簡便な方法によって取得する技術を提供することを目的とする。
【課題を解決するための手段】
【０００５】
本発明の一態様は、手指衛生に用いられる薬剤を封入する容器に残存する前記薬剤の量である薬剤量を示す薬剤量情報を取得する薬剤量情報取得部と、前記薬剤量情報取得部が第１の時期に取得した前記薬剤量情報である第１薬剤量情報と、前記薬剤量情報取得部が前記第１の時期より前に取得した前記薬剤量情報である第２薬剤量情報とに基づいて、前記薬剤の消費量を算出する消費量算出部と、前記消費量算出部が算出する前記消費量と、前記容器の１操作当たりの吐出量とに基づいて、前記容器の操作頻度を算出する操作頻度算出部と、を備える手指消毒剤測定装置である。
【０００６】
また、本発明の一態様の手指消毒剤測定装置において、前記容器が設置される医療機関の患者数に応じた前記操作頻度の操作頻度基準と、前記操作頻度算出部が算出する前記操作頻度とに基づいて、手指衛生の実施状況を判定する操作頻度判定部を更に備える。
【０００７】
また、本発明の一態様の手指消毒剤測定装置において、前記容器を撮像する撮像部と、前記撮像部が撮像した画像が示す前記薬剤の液面に基づいて、前記薬剤量を検出する画像検出部と、を備え、前記薬剤量情報取得部は、前記画像検出部が検出した前記薬剤量を前記薬剤量情報として取得する。
【０００８】
また、本発明の一態様の手指消毒剤測定装置において、前記容器には、当該容器を識別する識別情報が付され、前記撮像部は、前記識別情報を撮像し、前記撮像部が撮像した画像に示される前記識別情報に基づいて、前記容器を識別する容器識別部、を更に備え、前記消費量算出部は、前記容器識別部が識別する前記容器毎に前記薬剤の消費量を算出し、前記操作頻度判定部は、前記薬剤の前記操作頻度を前記容器毎に算出する。
【０００９】
また、本発明の一態様の手指消毒剤測定装置において、前記容器が設置される位置には、当該位置を識別する位置識別情報が付され、前記撮像部は、前記位置識別情報を撮像し、前記撮像部が撮像した画像に示される前記位置識別情報に基づいて、前記位置を判定する位置判定部、を更に備え、前記操作頻度判定部は、前記位置判定部が判定する前記位置毎の前記操作頻度を算出する。
【００１０】
また、本発明の一態様の手指消毒剤測定装置において、前記容器が設置される医療機関の患者は、複数の患者群に分類され、前記医療機関は、前記患者群毎の領域に区分され、前記操作頻度判定部は、前記位置識別情報と、前記領域の位置を示す領域位置情報と、前記操作頻度とに基づいて、前記領域毎の前記操作頻度を判定する。
【００１１】
また、本発明の一態様の手指消毒剤測定装置において、前記操作頻度に基づいて、前記薬剤を使用する使用者を順位付けする順位付け部を更に備える。
【発明の効果】
【００１２】
本発明によれば、薬剤の使用頻度を簡便な方法によって取得することができる。
【図面の簡単な説明】
【００１３】
【図１】第１実施形態に係る容器の設置位置の概要を示す図である。
【図２】第１実施形態に係る通信端末装置の概要を示す図である。
【図３】第１実施形態に係る画像の一例を示す図である。
【図４】第１実施形態に係る手指消毒剤測定装置と、通信端末装置との情報通信の概要を示す図である。
【図５】第１実施形態に係る通信端末装置の表示の一例を示す図である。
【図６】第１実施形態に係る手指消毒剤測定装置及び通信端末装置の機能構成の一例を示す図である。
【図７】第１実施形態に係る薬剤量情報の一例を示す表である。
【図８】第１実施形態における吐出量情報の一例を示す図である。
【図９】第１実施形態の手指消毒剤測定装置及び通信端末装置の動作の一例を示す流れ図である。
【図１０】第２実施形態に係る容器の設置位置の概要を示す図である。
【図１１】第２実施形態に係る通信端末装置の概要を示す図である。
【図１２】第２実施形態に係る通信端末装置の表示の一例を示す図である。
【図１３】第２実施形態に係る手指消毒剤測定装置及び通信端末装置の機能構成の一例を示す図である。
【図１４】第２実施形態に係る領域位置情報の一例を示す表である。
【図１５】変形例１に係る手指消毒剤測定装置及び通信端末装置の構成の一例を示す図である。
【図１６】変形例２に係る通信端末装置の表示の一例を示す図である。
【図１７】変形例２に係る手指消毒剤測定装置及び通信端末装置の機能構成の一例を示す図である。
【図１８】複数の種類の容器が用いられる場合の吐出量情報の一例を示す図である。
【発明を実施するための形態】
【００１４】
［第１実施形態］
以下、図を参照して本発明の第１実施形態について説明する。
【００１５】
図１は、第１実施形態に係る容器ＣＴの設置位置の概要を示す図である。
図１に示す通り、病院等の医療機関には、手指衛生に用いられる消毒液や消毒ジェルが封入された容器（以下、容器ＣＴ）が設置される。以下、医療機関が病院である場合について説明する。容器ＣＴは、例えば、頭部を押下することにより、手指衛生に適切な量の消毒液や消毒ジェルが吐出されるディスペンサである。
ここで、容器ＣＴは、薬剤が使用される機会が生じる場所に設置されることが好ましい。容器ＣＴが使用される機会とは、例えば、病院の従事者が患者に触れる前、清潔操作の前、無菌操作の前、体液に暴露された可能性のある場合、患者に触れた後、及び患者周辺の物品に触れた後等である。容器ＣＴは、例えば、各病室の入口等に設置されることが好ましい（例えば、図１）。以降の説明において、病院の従事者を、単に従事者と記載する。
【００１６】
病院において、感染症の感染予防、及び感染の拡大を抑制するため、手指衛生が適切に行われることが好ましい。医療機関において手指衛生が適切に行われているか否かを示す指標として、薬剤の使用頻度が用いられる場合がある。具体的には、所定の期間において、病院内に設置されている薬剤が使用された使用頻度、すなわち、容器ＣＴが操作された操作頻度（以下、操作頻度ＯＦ）が、指標として用いられる場合がある。
病院内に設置される容器ＣＴの操作頻度ＯＦを把握する場合、従事者が、ある期間における薬剤の消費量（以下、消費量ＣＭ）を確認し、当該消費量ＣＭと、容器ＣＴの１操作当たりの吐出量とに基づいて、操作頻度ＯＦを算出することが求められる場合がある。この場合、従事者が、病院内の容器ＣＴに残存する薬剤の消費量ＣＭを調べたり、操作頻度ＯＦを算出したりする手間を低減することが困難である場合があった。
本発明は、手指消毒剤測定装置１０と、通信端末装置２０とを用いて、従事者の手間を低減しつつ、簡便な方法による操作頻度ＯＦを取得する支援を行う。
以下、手指消毒剤測定装置１０、及び通信端末装置２０の概要について説明する。
【００１７】
＜手指消毒剤測定装置、及び通信端末装置の概要＞
図２は、第１実施形態に係る通信端末装置２０の概要を示す図である。
図２に示すとおり、この一例では、従事者が通信端末装置２０によって容器ＣＴを撮像し、生成した画像（以下、画像Ｐ）に基づいて、容器ＣＴに封入される薬剤の薬剤量を検出する。通信端末装置２０とは、例えば、携帯電話、スマートフォン及びタブレット型のコンピュータ（タブレットＰＣ）等の携帯型のパーソナルコンピュータなどである。従事者は、通信端末装置２０が有するカメラ機能によって、病院内に設置される容器ＣＴを撮像する。
また、容器ＣＴには、容器ＣＴを識別する際に用いられる識別情報ＩＤが付される。識別情報ＩＤとは、例えば、２次元バーコードである。通信端末装置２０は、容器ＣＴを撮像する際、容器ＣＴに付される識別情報ＩＤもあわせて撮像する。ここで、病院内に複数の容器ＣＴが設置されている場合、通信端末装置２０は、画像Ｐに示される識別情報ＩＤに基づいて、撮像された容器ＣＴを識別することができる。また、容器ＣＴ毎に容器ＣＴの設置場所が予め定められている場合（図示する「１０３病室前用」等）、識別情報ＩＤに基づいて、容器ＣＴの設置場所を識別することができる。
【００１８】
従事者は、容器ＣＴの操作頻度を検出するのに適した周期（時間）毎に通信端末装置２０によって容器ＣＴを撮像する。手指衛生の操作頻度を検出するのに適した周期とは、例えば、１週間毎や、１か月毎である。本実施形態の一例では、従事者が通信端末装置２０によって１か月毎に容器ＣＴを撮像する場合について説明する。
【００１９】
図３は、第１実施形態に係る画像Ｐの一例を示す図である。
図３に示す通り、通信端末装置２０は、画像Ｐに基づいて、容器ＣＴ内における薬剤量を検出する。通信端末装置２０は、例えば、画像Ｐに基づいて、容器ＣＴ内における薬剤の液面（以下、液面ＳＨ）を検出する。通信端末装置２０は、検出した液面ＳＨと、容器ＣＴに付される目盛とに基づいて、容器ＣＴ内に残存する薬剤量を検出する。
また、通信端末装置２０は、画像Ｐに基づいて、容器ＣＴに付される容器ＣＴの識別情報ＩＤを検出する。
【００２０】
図４は、第１実施形態に係る手指消毒剤測定装置１０と、通信端末装置２０との情報通信の概要を示す図である。
図４に示す通り、手指消毒剤測定装置１０と、通信端末装置２０とは、ネットワークＮを介して情報の送受信が可能に接続される。ネットワークＮとは、例えば、病院内に設置されるＷｉ−Ｆｉ（登録商標）等の無線通信である。手指消毒剤測定装置１０は、通信端末装置２０からの情報を集約し、容器ＣＴの操作頻度ＯＦを算出する。
また、通信端末装置２０は、病院内において複数使用される場合がある。通信端末装置２０は、例えば、病院内の従事者毎や診療科毎に配備され、使用される。本実施形態の一例では、病院内では、３台の通信端末装置２０（通信端末装置２０−１、通信端末装置２０−２、及び通信端末装置２０−３）が使用されており、それぞれが手指消毒剤測定装置１０に対して情報の送受信を行う。以降の説明において、通信端末装置２０−１、通信端末装置２０−２、及び通信端末装置２０−３を区別しない場合には、総称して通信端末装置２０と記載する。
【００２１】
通信端末装置２０は、手指消毒剤測定装置１０に薬剤量を示す情報（以下、薬剤量情報ＡＤ）と、容器ＣＴに付される識別情報ＩＤとを関連付けて送信する。具体的には、通信端末装置２０−１は、通信端末装置２０−１が撮像した容器ＣＴ１の薬剤量情報ＡＤ１、及び識別情報ＩＤ１を手指消毒剤測定装置１０に送信する。また、通信端末装置２０−２は、通信端末装置２０−２が撮像した容器ＣＴ２の薬剤量情報ＡＤ２、及び識別情報ＩＤ２を手指消毒剤測定装置１０に送信する。また、通信端末装置２０−３は、通信端末装置２０−３が撮像した容器ＣＴ３の薬剤量情報ＡＤ３、及び識別情報ＩＤ３を手指消毒剤測定装置１０に送信する。
【００２２】
手指消毒剤測定装置１０は、通信端末装置２０から受信した薬剤量情報ＡＤ、及び識別情報ＩＤに基づいて、操作頻度ＯＦを算出する。また、手指消毒剤測定装置１０は、算出した操作頻度ＯＦと、操作頻度ＯＦの基準である操作頻度基準とに基づいて、操作頻度ＯＦが適切であるか、すなわち、手指衛生が適切に行われているかを判定する。本実施形態において、操作頻度基準とは、所定の期間（この一例では、１か月間）における１つの容器ＣＴ当たりの操作頻度ＯＦの基準である。手指消毒剤測定装置１０は、算出した結果を示す情報（以下、判定結果情報ＲＴ）を各通信端末装置２０に送信する。通信端末装置２０は、手指消毒剤測定装置１０から判定結果情報ＲＴを受信する。
【００２３】
図５は、第１実施形態に係る通信端末装置２０の表示の一例を示す図である。
図５に示す通り、通信端末装置２０は、表示部に手指消毒剤測定装置１０から受信した判定結果情報ＲＴに基づいて、判定結果画像ＲＴＰを表示する。本実施形態の判定結果画像ＲＴＰ（以下、判定結果画像ＲＴＰ１）には、判定結果情報ＲＴ、及び手指衛生に関するメッセージ（以下、メッセージＭＳ１）等が含まれる。判定結果画像ＲＴＰ１に示される判定結果情報ＲＴとは、例えば、ある場所（図５に示す「１０３病室前」）に設置された容器ＣＴが、操作頻度基準を超える操作頻度ＯＦによって手指衛生が行われたことを示す表示（図５に示す「ノルマ達成！！」）等である。判定結果画像ＲＴＰ１に示されるメッセージＭＳ１とは、例えば、手指衛生の実施の程度を示す表示（図５に示す「手指衛生が適切におこなわれているよ」）等である。
【００２４】
なお、手指消毒剤測定装置１０が算出した操作頻度ＯＦが、操作頻度基準よりも少ない頻度である場合がある。この場合、判定結果画像ＲＴＰ１に示される判定結果情報ＲＴとは、例えば、操作基準よりも少ない操作頻度ＯＦにおいて手指衛生が行われたことを示す表示（例えば、「ノルマ未達成」）等である。また、判定結果画像ＲＴＰ１に示されるメッセージＭＳ１とは、例えば、手指衛生を励行するメッセージ（例えば、「手指衛生を積極的に行おう」）等である。
【００２５】
通信端末装置２０は、例えば、手指衛生に関するアプリケーション（以下、手指衛生アプリケーション）を有していてもよい。この場合、通信端末装置２０は、手指衛生アプリケーションを起動させることにより、容器ＣＴの撮像、画像Ｐの送信、及び判定結果画像ＲＴＰの表示等を行う構成であってもよい。以降の説明において、通信端末装置２０は、手指衛生アプリケーションを起動し、容器ＣＴの撮像、画像Ｐの送信、及び判定結果画像ＲＴＰの表示を行う場合について説明する。
また、通信端末装置２０は、判定結果画像ＲＴＰを表示する際、表示画面には、手指衛生の実施を促したり、適切に手指衛生を行われていることを称賛したりするキャラクター（以下、キャラクターＣＨ）が表示される構成であってもよい。通信端末装置２０は、キャラクターＣＨを表示することによって、判定結果画像ＲＴＰを確認する確認者（例えば、従事者）に対して手指衛生の意欲を向上させる演出を行うことができる。
以下、手指消毒剤測定装置１０、及び通信端末装置２０の具体的な機能構成について説明する。
【００２６】
＜手指消毒剤測定装置、及び通信端末装置の機能構成＞
図６は、第１実施形態に係る手指消毒剤測定装置１０及び通信端末装置２０の機能構成の一例を示す図である。
通信端末装置２０は、撮像部２１０と、操作部２１２と、表示部２１４と、制御部２２０とを備える。撮像部２１０は、容器ＣＴを撮像し、生成した画像Ｐを制御部２２０に供給する。操作部２１２は、入力デバイスを備え、ユーザ（例えば、従事者）の操作を受け付ける。この入力デバイスには、キーボード等の文字情報を入力するデバイス、マウス、タッチパネル等のポインティングデバイス、ボタン、タッチセンサ、タッチパッド等が含まれる。操作部２１２は、例えば、従事者が手指衛生アプリケーションを用いて容器ＣＴを撮像する操作等を受け付ける。表示部２１４は、制御部２２０によって制御され、画像、ＧＵＩ（Ｇｒａｐｈｉｃａｌ  Ｕｓｅｒ  Ｉｎｔｅｒｆａｃｅ）、及び判定結果画像ＲＴＰ等を表示する。
【００２７】
制御部２２０は、ＣＰＵ（Ｃｅｎｔｒａｌ  Ｐｒｏｃｅｓｓｉｎｇ  Ｕｎｉｔ）を備えており、画像取得部２２１と、画像検出部２２２と、送信部２２３とをその機能部として備える。
画像取得部２２１は、撮像部２１０から画像Ｐを取得する。画像取得部２２１は、取得した画像Ｐを画像検出部２２２に供給する。
画像検出部２２２は、画像取得部２２１から取得した画像Ｐに基づいて、液面ＳＨを検出する。また、画像検出部２２２は、画像Ｐに基づいて、容器ＣＴに付される目盛を検出する。画像検出部２２２は、検出した液面ＳＨと、容器ＣＴの容器に付される目盛とに基づいて、容器ＣＴ内に残存する薬剤量を検出する。また、画像検出部２２２は、画像Ｐに基づいて、容器ＣＴに付される識別情報ＩＤを検出する。画像検出部２２２は、検出した薬剤量情報ＡＤと、識別情報ＩＤとを送信部２２３に供給する。
送信部２２３は、画像検出部２２２から取得した薬剤量情報ＡＤと、識別情報ＩＤとを関連付けて、手指消毒剤測定装置１０に送信する。
【００２８】
手指消毒剤測定装置１０は、制御部１００と、記憶部５００とを備える。記憶部５００には、薬剤量情報ＡＤと、吐出量情報ＤＲとが記憶される。
【００２９】
以下、図７を参照して薬剤量情報ＡＤの詳細について説明する。
図７は、第１実施形態に係る薬剤量情報ＡＤの一例を示す表である。
図７に示す通り、記憶部５００には、当該薬剤量情報ＡＤを取得した日付と、薬剤量情報ＡＤとが対応付けられて記憶される。また、記憶部５００には、容器ＣＴ毎の薬剤量情報ＡＤが記憶される。記憶部５００には、例えば、薬剤量情報ＡＤ１、薬剤量情報ＡＤ２、及び薬剤量情報ＡＤ３が記憶される。
【００３０】
上述したように、従事者は、通信端末装置２０によって１か月毎に容器ＣＴを撮像する。したがって、通信端末装置２０は、１か月毎に手指消毒剤測定装置１０に対して薬剤量情報ＡＤを送信する。これにより、記憶部５００には、１か月毎の薬剤量情報ＡＤが記憶される。
薬剤量情報ＡＤ１には、例えば、２０１７年１月２日に取得した薬剤量情報ＡＤ１−１（図示する「３６０ｍｌ」）と、２０１７年２月２日に取得した薬剤量情報ＡＤ１−２（図示する「２５０ｍｌ」）と、２０１７年３月２日に取得した薬剤量情報ＡＤ１−３（図示する「１００ｍｌ」）とが含まれる。
【００３１】
以下、図８を参照して吐出量情報ＤＲの詳細について説明する。
図８は、第１実施形態における吐出量情報ＤＲの一例を示す図である。
記憶部５００には、病院内において使用される容器ＣＴの吐出量情報ＤＲが記憶される。吐出量情報ＤＲとは、当該容器ＣＴが１操作当たりに吐出する薬剤の量を示す情報である。本実施形態の一例では、病院内では、１種類の容器ＣＴ（薬剤）が使用されている場合について説明する。この場合、記憶部５００には、１種類の容器ＣＴの吐出量情報ＤＲが記憶される。図８に示す通り、この一例では、吐出量情報ＤＲは、容器ＣＴが１操作当たり１ｍｌの薬剤を吐出することを示す。
【００３２】
図６に戻り、制御部１００は、ＣＰＵを備えており、受信部１１０と、消費量算出部１２０と、操作頻度算出部１３０と、操作頻度判定部１４０と、送信部１５０とをその機能部として備える。
受信部１１０は、通信端末装置２０から薬剤量情報ＡＤ、及び識別情報ＩＤを受信する。受信部１１０は、受信した薬剤量情報ＡＤ、及び識別情報ＩＤを消費量算出部１２０に供給する。
【００３３】
消費量算出部１２０は、受信部１１０から薬剤量情報ＡＤ、及び識別情報ＩＤ取得する。消費量算出部１２０は、取得した薬剤量情報ＡＤと、当該薬剤量情報ＡＤが取得された時期より以前の薬剤量情報ＡＤとに基づいて、薬剤の消費量（以下、消費量ＣＭ）を算出する。以降の説明において、消費量算出部１２０が薬剤量情報ＡＤを取得した時期を第１の時期と記載し、第１の時期より前の時期を第２の時期と記載する。
ここで、消費量算出部１２０は、識別情報ＩＤが示す容器ＣＴ毎に消費量ＣＭを算出する。換言すると、消費量算出部１２０は、識別情報ＩＤが示す容器ＣＴの薬剤量情報ＡＤに基づいて、消費量ＣＭを算出する。消費量算出部１２０は、例えば、識別情報ＩＤが識別情報ＩＤ１である場合、取得した第１の時期の薬剤量情報ＡＤ１と、記憶部５００に記憶される第２の時期の薬剤量情報ＡＤ１とに基づいて、消費量ＣＭを算出する。
【００３４】
本実施形態の一例では、第１の時期が２０１７年３月２日であって、第２の時期が２０１７年２月２日である場合について説明する。また、この一例では、手指消毒剤測定装置１０が容器ＣＴ１の識別情報ＩＤ、及び薬剤量情報ＡＤを取得する場合について説明する。
消費量算出部１２０は、第１の時期の薬剤量情報ＡＤ（この一例では、薬剤量情報ＡＤ１−３（１００ｍｌ）と、第２の時期の薬剤量情報ＡＤ（この一例では、薬剤量情報ＡＤ１−２（２５０ｍｌ）とに基づいて、消費量ＣＭを算出する。この一例では、消費量算出部１２０は、消費量ＣＭが１５０ｍｌであると算出する。消費量算出部１２０は、算出した消費量ＣＭを操作頻度算出部１３０に供給する。
【００３５】
操作頻度算出部１３０は、消費量算出部１２０から消費量ＣＭを取得する。操作頻度算出部１３０は、取得した消費量ＣＭと、吐出量情報ＤＲとに基づいて、容器ＣＴの操作頻度（以下、操作頻度ＯＦ）を算出する。上述したように、この一例では、吐出量情報ＤＲが１操作当たりの吐出量が１ｍｌである。したがって、操作頻度算出部１３０は、操作頻度ＯＦが１５０回であると算出する。操作頻度算出部１３０は、算出した操作頻度ＯＦを操作頻度判定部１４０に供給する。
【００３６】
操作頻度判定部１４０は、操作頻度算出部１３０から操作頻度ＯＦを取得する。操作頻度判定部１４０は、取得した操作頻度ＯＦと、操作頻度基準とに基づいて、手指衛生が適切に行われているか否かを判定する。
ここで、従事者が容器ＣＴを使用する機会は、患者に対して医療業務を行う機会と合致する。つまり、病院内に看護を必要とする患者の数が多い場合、従事者が薬剤を使用する回数（操作頻度ＯＦ）が多くなる。また、従事者が所定の期間（この一例では、１か月）に薬剤を使用する回数（操作頻度ＯＦ）には、一般的な指標が定められている。したがって、操作頻度基準は、従事者が所定の期間に薬剤を使用する回数の一般的な指標と、病院の患者数とに基づいて定められる。
【００３７】
操作頻度判定部１４０は、操作頻度ＯＦが操作頻度基準以上の回数である場合、手指衛生が適切に行われていると判定する。また、操作頻度判定部１４０は、操作頻度ＯＦが操作頻度基準より少ない回数である場合、手指衛生が適切に行われていないと判定する。操作頻度判定部１４０は、手指衛生が適切に行われているか否かを示す情報（判定結果情報ＲＴ）を送信部１５０に供給する。
送信部１５０は、取得した判定結果情報ＲＴを通信端末装置２０に対して送信する。
【００３８】
＜手指消毒剤測定装置、及び通信端末装置の動作＞
以下、図９を参照して手指消毒剤測定装置１０及び通信端末装置２０の動作について説明する。
図９は、第１実施形態の手指消毒剤測定装置１０及び通信端末装置２０の動作の一例を示す流れ図である。
通信端末装置２０が備える撮像部２１０は、容器ＣＴを撮像する（ステップＳ１１０）。画像検出部２２２は、撮像部２１０が生成した画像Ｐに基づいて、液面ＳＨと、識別情報ＩＤとを検出する（ステップＳ１２０）。また、画像検出部２２２は、画像Ｐに示される、容器ＣＴの目盛と、液面ＳＨとに基づいて、薬剤量を検出する（ステップＳ１３０）。送信部２２３は、画像検出部２２２が検出した薬剤量情報ＡＤ、及び識別情報ＩＤを送信する（ステップＳ１４０）。
【００３９】
手指消毒剤測定装置１０が備える受信部１１０は、通信端末装置２０から薬剤量情報ＡＤ、及び識別情報ＩＤを受信する（ステップＳ２１０）。消費量算出部１２０は、受信した薬剤量情報ＡＤ、及び識別情報ＩＤに基づいて、消費量ＣＭを算出する（ステップＳ２２０）。具体的には、消費量算出部１２０は、受信した識別情報ＩＤが示す容器ＣＴの第２の時期の薬剤量情報ＡＤと、取得した第１の時期の薬剤量情報ＡＤとに基づいて、消費量ＣＭを算出する。操作頻度算出部１３０は、消費量算出部１２０が算出した消費量ＣＭに基づいて、操作頻度ＯＦを算出する（ステップＳ２３０）。操作頻度判定部１４０は、操作頻度算出部１３０が算出した操作頻度ＯＦと、操作頻度基準とに基づいて、手指衛生が適切に行われているか否かを判定する（ステップＳ２４０）。操作頻度判定部１４０は、操作頻度ＯＦが操作頻度基準以上である場合（ステップＳ２４０；ＹＥＳ）、手指衛生が適切に行われている（実施状況良好）と判定する（ステップＳ２５０）。また、操作頻度判定部１４０は、操作頻度ＯＦが操作頻度基準より少ない回数である場合（ステップＳ２４０；ＮＯ）、手指衛生が適切に行われていない（実施状況不良）と判定する（ステップＳ２６０）。
【００４０】
＜第１実施形態まとめ＞
以上説明したように、本実施形態の手指消毒剤測定装置１０が備える消費量算出部１２０は、通信端末装置２０から取得する第１の時期の薬剤量情報ＡＤと、記憶部５００に記憶される第２の時期の薬剤量情報ＡＤとに基づいて、消費量ＣＭを算出し、操作頻度算出部１３０は、消費量ＣＭと、吐出量情報ＤＲとに基づいて、操作頻度ＯＦを算出する。
本実施形態の手指消毒剤測定装置１０、及び通信端末装置２０によれば、従事者が操作頻度ＯＦを算出する手間を低減することができる。
【００４１】
また、本実施形態の手指消毒剤測定装置１０が備える操作頻度判定部１４０は、操作頻度ＯＦと、操作頻度基準とに基づいて、手指衛生が適切に行われているか否かを判定する。
本実施形態の手指消毒剤測定装置１０によれば、病院等の医療機関において手指衛生が適切に行われているかを簡便な方法によって判定することができる。
【００４２】
また、本実施形態の通信端末装置２０が備える撮像部２１０は、容器ＣＴを撮像し、画像Ｐを生成する。また、画像検出部２２２は、画像Ｐが示す薬剤の液面ＳＨに基づいて、薬剤量情報ＡＤを検出する。
本実施形態の通信端末装置２０によれば、簡便な方法によって容器ＣＴに残存する薬剤の薬剤量を検出することができる。
【００４３】
また、本実施形態において、容器ＣＴには、識別情報ＩＤが付される。通信端末装置２０の撮像部２１０が、識別情報ＩＤを撮像し、画像検出部２２２が、画像Ｐに基づいて、識別情報ＩＤを識別する。また、本実施形態の手指消毒剤測定装置１０が備える消費量算出部１２０は、識別情報ＩＤが示す容器ＣＴ毎に消費量ＣＭを算出し、操作頻度算出部１３０は、容器ＣＴ毎の操作頻度ＯＦを算出する。
本実施形態の手指消毒剤測定装置１０、及び通信端末装置２０によれば、病院内に設置される容器ＣＴ毎の操作頻度ＯＦを算出し、容器ＣＴが設置される設置場所毎の操作頻度ＯＦを把握することができる。
【００４４】
なお、上述では、手指消毒剤測定装置１０が操作頻度判定部１４０を備える場合について説明したが、これに限られない。手指消毒剤測定装置１０は、操作頻度算出部１３０が算出した操作頻度ＯＦを通信端末装置２０に送信する構成であってもよい。
従事者は、例えば、通信端末装置２０の判定結果画像ＲＴＰとして手指衛生が適切に行われているか否かに代えて、薬剤の使用回数（操作頻度ＯＦ）の値が知りたい場合がある。この場合、手指消毒剤測定装置１０は、操作頻度算出部１３０が算出した操作頻度ＯＦを通信端末装置２０に送信する。
これにより、従事者は、判定結果画像ＲＴＰとして操作頻度ＯＦを確認し、手指衛生が適切に行われているか否かを判断することができる。
【００４５】
また、上述では、通信端末装置２０が容器ＣＴを撮像し、画像Ｐに基づいて、薬剤量情報ＡＤを検出する場合について説明したが、これに限られない。
ここで、病院には、通信端末装置２０の使用が禁止されている領域が存在する場合がある。この場合、従事者は、通信端末装置２０によって当該領域に設置される容器ＣＴを撮像することに代えて、容器ＣＴの薬剤量を目視によって確認してもよい。手指消毒剤測定装置１０は、従事者が目視によって確認した薬剤量を薬剤量情報ＡＤとして以降の処理に用いてもよい。この場合、手指消毒剤測定装置１０は、操作部を備える。手指消毒剤測定装置１０は、従事者が目視によって確認し、当該操作部に入力する薬剤量を薬剤量情報ＡＤとして取得する。
これにより、手指消毒剤測定装置１０は、入力された薬剤量情報ＡＤに基づいて、操作頻度ＯＦを算出することができる。
【００４６】
また、上述では、容器ＣＴに識別情報ＩＤが付され、手指消毒剤測定装置１０が備える消費量算出部１２０が、識別情報ＩＤに基づいて、容器ＣＴ毎の消費量ＣＭを算出する場合について説明したが、これに限られない。ここで、小規模の病院等では、病院内に容器ＣＴが複数設置されていない場合がある。この場合、容器ＣＴには、識別情報ＩＤが付されていなくてもよい。この場合、手指消毒剤測定装置１０は、取得した第１の時期の薬剤量情報ＡＤと、第２の時期の薬剤量情報ＡＤとに基づいて、ある容器ＣＴの操作頻度ＯＦを算出する。
【００４７】
また、上述では、手指消毒剤測定装置１０が記憶部５００を備え、記憶部５００には、第２の時期の薬剤量情報ＡＤを記憶される場合について説明したが、これに限られない。記憶部５００は、例えば、通信端末装置２０に備えられていてもよい。この場合、通信端末装置２０（手指衛生アプリケーション）は、容器ＣＴを撮像し、検出した薬剤量情報ＡＤ、及び識別情報ＩＤを互いに送受信する。通信端末装置２０は、互いに送受信した薬剤量情報ＡＤを通信端末装置２０が備える記憶部に記憶する。また、通信端末装置２０は、手指消毒剤測定装置１０に薬剤量情報ＡＤを送信する際、第１の時期の薬剤量情報ＡＤと、第２の時期の薬剤量情報ＡＤをあわせて送信する構成であってもよい。
【００４８】
［第２実施形態］
以下、図を参照して本発明の第２実施形態について説明する。
第１実施形態では、手指消毒剤測定装置１０が容器ＣＴ毎の操作頻度ＯＦを算出する場合について説明した。
第２実施形態では、手指消毒剤測定装置１１が病院内の領域毎の操作頻度ＯＦを算出する場合について説明する。
なお、上述した実施形態と同様の構成については、同一の符号を付して説明を省略する。
【００４９】
図１０は、第２実施形態に係る容器ＣＴの設置位置の概要を示す図である。
ここで、病院で診療を受ける患者は、患者の特徴に応じて複数の患者群に分類される。患者の特徴とは、例えば、患者が罹患する病気や疾患等である。具体的には、患者は、患者が診療を受ける診療科毎の患者群に分類される。本実施形態の一例では、患者は、内科、外科、リハビリテーション（以下、リハビリ）科、及び小児科に分類される。
また、病院内は、診療科（患者群）毎の領域（以下、領域ＲＧ）に区分される。本実施形態の一例では、病院が内科エリア（図示する領域ＲＧ１）、外科エリア（図示する領域ＲＧ２）、リハビリ科エリア（図示する領域ＲＧ３）、及び小児科エリア（図示する領域ＲＧ４）の４つの領域ＲＧに区分される。例えば、内科の患者は、内科エリア（領域ＲＧ１）において、外来診療や入院診療を受け、外科の患者は、外科エリア（領域ＲＧ２）において、外来診療や入院診療を受け、リハビリ科の患者は、リハビリ科エリア（領域ＲＧ３）において、外来診療や入院診療を受け、小児科の患者は、小児科エリア（領域ＲＧ４）において、外来診療や入院診療を受ける。
【００５０】
また、各領域ＲＧには、複数の容器ＣＴが設置される。本実施形態の一例では、領域ＲＧ１には、容器ＣＴ１〜容器ＣＴ４の４つの容器ＣＴが設置される。また、領域ＲＧ２には、容器ＣＴ５〜容器ＣＴ８の４つの容器ＣＴが設置される。また、領域ＲＧ３には、容器ＣＴ９〜容器ＣＴ１２の４つの容器ＣＴが設置される。また、領域ＲＧ４には、容器ＣＴ１３〜容器ＣＴ１６の４つの容器ＣＴが設置される。
【００５１】
図１１は、第２実施形態に係る通信端末装置２０の概要を示す図である。
図１１に示す通り、本実施形態の一例では、容器ＣＴの設置位置には、位置識別情報ＰＩＤが付される。位置識別情報ＰＩＤとは、容器ＣＴが設置される位置を識別する情報である。位置識別情報ＰＩＤとは、例えば、バーコードである。位置識別情報ＰＩＤは、容器ＣＴが設置される台や、壁面等に付される。位置識別情報ＰＩＤは、例えば、容器ＣＴが使用する機会が多い場所に付される。また、容器ＣＴは、位置識別情報ＰＩＤが付される位置に設置される。
通信端末装置２０は、容器ＣＴを撮像する際、容器ＣＴに付される識別情報ＩＤと、容器ＣＴが設置される位置に付される位置識別情報ＰＩＤとを撮像する。通信端末装置２０は、画像Ｐに基づいて、容器ＣＴの設置位置に付される位置識別情報ＰＩＤを検出する。薬剤量情報ＡＤ、識別情報ＩＤ、及び位置識別情報ＰＩＤを手指消毒剤測定装置１１に送信する。
【００５２】
本実施形態の一例では、領域ＲＧ１には、４つの位置識別情報ＰＩＤ（図１０に示す位置識別情報ＰＩＤ１−１〜位置識別情報ＰＩＤ１−４）が付される。領域ＲＧ２には、４つの位置識別情報ＰＩＤ（図１０に示す位置識別情報ＰＩＤ２−１〜位置識別情報ＰＩＤ２−４）が付される。領域ＲＧ３には、４つの位置識別情報ＰＩＤ（図１０に示す位置識別情報ＰＩＤ３−１〜位置識別情報ＰＩＤ３−４）が付される。領域ＲＧ４には、４つの位置識別情報ＰＩＤ（図１０に示す位置識別情報ＰＩＤ４−１〜位置識別情報ＰＩＤ４−４）が付される。
【００５３】
手指消毒剤測定装置１１は、通信端末装置２０から受信した薬剤量情報ＡＤ、識別情報ＩＤ、及び位置識別情報ＰＩＤに基づいて、領域ＲＧ毎の操作頻度ＯＦを算出する。また、手指消毒剤測定装置１１は、算出した領域ＲＧ毎の操作頻度ＯＦに基づいて、当該領域ＲＧにおいて操作頻度ＯＦが適切であるか、すなわち、手指衛生が適切に行われているかを判定する。手指消毒剤測定装置１１は、判定結果情報ＲＴを各通信端末装置２０に送信する。
【００５４】
図１２は、第２実施形態に係る通信端末装置２０の表示の一例を示す図である。
図１２に示す通り、通信端末装置２０は、手指消毒剤測定装置１１から受信した判定結果情報ＲＴに基づいて、表示部２１４に判定結果画像ＲＴＰを表示する。本実施形態の判定結果画像ＲＴＰ（以下、判定結果画像ＲＴＰ２）には、判定結果情報ＲＴ、及びメッセージＭＳ１等が含まれる。
本実施形態において、判定結果画像ＲＴＰ２に示される判定結果情報ＲＴとは、ある領域ＲＧ（図１２に示す「外科エリア」）内に設置される容器ＣＴが、操作頻度基準を超える操作頻度において手指衛生が行われたことを示す表示（図１２に示す「ノルマ達成！！」）等である。
以下、手指消毒剤測定装置１１、及び通信端末装置２０の具体的な機能構成について説明する。
【００５５】
＜手指消毒剤測定装置、及び通信端末装置の機能構成＞
図１３は、第２実施形態に係る手指消毒剤測定装置１１及び通信端末装置２０の機能構成の一例を示す図である。
本実施形態の画像検出部２２２は、画像Ｐに基づいて、容器ＣＴの設置位置に付される位置識別情報ＰＩＤを更に検出する。画像検出部２２２は、検出した薬剤量情報ＡＤと、識別情報ＩＤと、位置識別情報ＰＩＤとを送信部２２３に供給する。
送信部２２３は、画像検出部２２２から取得した薬剤量情報ＡＤと、識別情報ＩＤと、位置識別情報ＰＩＤとを関連付けて、手指消毒剤測定装置１１に送信する。
【００５６】
手指消毒剤測定装置１１は、制御部１０１と、記憶部５０１とを備える。記憶部５０１には、薬剤量情報ＡＤと、吐出量情報ＤＲと、領域位置情報ＲＧＩとが記憶される。
【００５７】
以下、図１４を参照して領域位置情報ＲＧＩの詳細について説明する。
図１４は、第２実施形態に係る領域位置情報ＲＧＩの一例を示す表である。
図１４に示す通り、領域位置情報ＲＧＩとは、領域ＲＧと、位置識別情報ＰＩＤとの対応付けを示す情報である。換言すると、領域位置情報ＲＧＩは、位置識別情報ＰＩＤが示す位置がどの領域ＲＧであるかを示す情報である。
領域位置情報ＲＧＩは、位置識別情報ＰＩＤ１−１〜位置識別情報ＰＩＤ１−４の位置が領域ＲＧ１であることを示し、位置識別情報ＰＩＤ２−１〜位置識別情報ＰＩＤ２−４の位置が領域ＲＧ２であることを示し、位置識別情報ＰＩＤ３−１〜位置識別情報ＰＩＤ３−４の位置が領域ＲＧ３であることを示し、位置識別情報ＰＩＤ４−１〜位置識別情報ＰＩＤ４−４の位置が領域ＲＧ４であること示す。
【００５８】
図１３に戻り、制御部１０１は、ＣＰＵを備えており、受信部１１０と、消費量算出部１２０と、操作頻度算出部１３０と、操作頻度判定部１４０と、送信部１５０とをその機能部として備える。
受信部１１０は、通信端末装置２０から薬剤量情報ＡＤ、識別情報ＩＤ、及び位置識別情報ＰＩＤを受信する。受信部１１０は、受信した薬剤量情報ＡＤ、及び識別情報ＩＤを消費量算出部１２０に供給する。また、受信部１１０は、受信した位置識別情報ＰＩＤを操作頻度判定部１４０に供給する。
【００５９】
操作頻度判定部１４０は、受信部１１０から位置識別情報ＰＩＤを取得する。操作頻度判定部１４０は、操作頻度算出部１３０から操作頻度ＯＦを取得する。
操作頻度判定部１４０は、位置識別情報ＰＩＤと、操作頻度ＯＦと、領域位置情報ＲＧＩとに基づいて、手指衛生が適切に行われているか否かを領域ＲＧ毎に判定する。
操作頻度判定部１４０は、領域位置情報ＲＧＩに基づいて、ある領域ＲＧに設置されるすべての容器ＣＴの操作頻度ＯＦが操作頻度基準以上の回数である場合、当該領域ＲＧにおいて手指衛生が適切に行われていると判定する。
送信部１５０は、取得した判定結果情報ＲＴを通信端末装置２０に対して送信する。
【００６０】
なお、上述では、容器ＣＴ毎に操作頻度基準が設けられる場合について説明したが、これに限られない。例えば、領域ＲＧ毎に操作頻度基準が定められる構成であってもよい。
この場合、操作頻度判定部１４０は、領域ＲＧに設置される容器ＣＴの操作頻度ＯＦの和が、領域ＲＧの操作頻度基準以上の回数である場合、領域ＲＧにおいて手指衛生が適切に行われていると判定する。また、操作頻度判定部１４０は、領域ＲＧに設置される容器ＣＴの操作頻度ＯＦの和が、領域ＲＧの操作頻度基準より少ない回数である場合、領域ＲＧにおいて手指衛生が適切に行われていないと判定する。
以降の構成は、上述した実施形態と同様であるため、説明を省略する。
【００６１】
＜第２実施形態のまとめ＞
以上説明したように、本実施形態において、容器ＣＴが設置される医療機関の患者は、複数の患者群に分類され、医療機関は、患者群毎の領域ＲＧに区分され、操作頻度判定部１４０は、操作頻度ＯＦと、位置識別情報ＰＩＤと、領域ＲＧの位置を示す領域位置情報ＲＧＩとに基づいて、領域ＲＧ毎に手指衛生が適切に行われているか否かを判定する。
ここで、領域ＲＧには、看護を必要とする患者の数が多い領域ＲＧと、少ない領域ＲＧとがある。上述したように、看護を必要とする患者の数が多い場合、従事者が薬剤を使用する回数（操作頻度ＯＦ）が多くなる。したがって、看護を必要とする患者の数が多い領域ＲＧは、操作頻度基準が多くなり、看護を必要とする患者の数が少ない領域ＲＧは、操作頻度基準が少なくなる。
本実施形態の手指消毒剤測定装置１１によれば、患者の特徴がそれぞれ異なる領域ＲＧ毎に手指衛生が適切に行われているか否かを判定することができる。
【００６２】
なお、上述では、操作頻度判定部１４０は、位置識別情報ＰＩＤと、操作頻度算出部１３０が位置識別情報ＰＩＤ毎に算出した操作頻度ＯＦとに基づいて、領域ＲＧの操作頻度ＯＦの和を算出する場合について説明したが、これに限られない。例えば、操作頻度算出部１３０が位置識別情報ＰＩＤと、領域位置情報ＲＧＩとに基づいて、領域ＲＧ毎の操作頻度ＯＦを算出する構成であってもよい。この場合、操作頻度算出部１３０は、受信部１１０から位置識別情報ＰＩＤを取得し、取得した位置識別情報ＰＩＤと、消費量ＣＭと、領域位置情報ＲＧＩとに基づいて、領域ＲＧ毎の操作頻度ＯＦを算出する。操作頻度判定部１４０は、操作頻度算出部１３０が算出した領域ＲＧ毎の操作頻度ＯＦと、領域ＲＧ毎の操作頻度基準とに基づいて、手指衛生が適切に行われているかを判定する。
【００６３】
＜変形例１＞
以下、第２実施形態に係る変形例１について説明する。
ここで、所定の期間において、容器ＣＴ内の薬剤が空になり、新たな容器ＣＴが設置される。この場合、以前（第２の時期）に設置されていた容器ＣＴと、新たに（第１の時期に）設置された容器ＣＴとでは、識別情報ＩＤが異なり、消費量ＣＭを算出することが困難である。
変形例１では、手指消毒剤測定装置１１が、位置識別情報ＰＩＤが示す位置毎の操作頻度ＯＦを算出する場合について説明する。
なお、上述した実施形態と同様の構成については、同一の符号を付して説明を省略する。
【００６４】
図１５は、変形例１に係る手指消毒剤測定装置１１及び通信端末装置２０の構成の一例を示す図である。
受信部１１０は、通信端末装置２０から薬剤量情報ＡＤ、識別情報ＩＤ、及び位置識別情報ＰＩＤを受信する。受信部１１０は、受信した薬剤量情報ＡＤ、及び識別情報ＩＤ、及び位置識別情報ＰＩＤを消費量算出部１２０に供給する。
【００６５】
消費量算出部１２０は、受信部１１０から薬剤量情報ＡＤ、識別情報ＩＤ、及び位置識別情報ＰＩＤを取得する。消費量算出部１２０は、取得した第１の時期の薬剤量情報ＡＤと、当該位置識別情報ＰＩＤが示す位置に第２の時期に設置されていた容器ＣＴの第２の時期の薬剤量情報ＡＤとに基づいて、位置毎の消費量ＣＭを算出する。
変形例２の記憶部５０１に記憶される薬剤量情報ＡＤには、容器ＣＴ毎に、日付と、薬剤量情報ＡＤと、位置識別情報ＰＩＤとが関連付けて記憶される。消費量算出部１２０は、位置識別情報ＰＩＤを検索キーとして、当該位置識別情報ＰＩＤが示す位置に第２の時期に設置されていた容器ＣＴの薬剤量情報ＡＤを検索する。消費量算出部１２０は、検索した当該薬剤量情報ＡＤを第２の時期の薬剤量情報ＡＤとして取得する。
消費量算出部１２０は、例えば、第１の時期に位置識別情報ＰＩＤ１−１に設置される容器ＣＴ１の薬剤量情報ＡＤと、第２の時期に位置識別情報ＰＩＤ１−１に設置される容器ＣＴ０の薬剤量情報ＡＤとに基づいて、位置識別情報ＰＩＤ１−１の消費量ＣＭを算出する。消費量算出部１２０は、位置毎の消費量ＣＭを算出し、操作頻度算出部１３０に供給する。
【００６６】
操作頻度判定部１４０は、操作頻度算出部１３０が算出した位置毎の操作頻度ＯＦを取得する。操作頻度判定部１４０は、取得した操作頻度ＯＦと、操作頻度基準とに基づいて、手指衛生が適切に行われているか否かを位置識別情報ＰＩＤが示す位置毎に判定する。この場合、操作頻度基準とは、位置識別情報ＰＩＤが示す位置毎に定められた操作頻度ＯＦの基準である。
以降の構成は、上述した実施形態と同様であるため、説明を省略する。
【００６７】
＜変形例１のまとめ＞
以上説明したように、変形例１において、容器ＣＴが設置される位置には、当該位置を識別する位置識別情報ＰＩＤが付され、手指消毒剤測定装置１１が備える操作頻度算出部１３０は、位置識別情報ＰＩＤが示す位置毎の操作頻度ＯＦを算出する。また、手指消毒剤測定装置１１が備える操作頻度判定部１４０は、位置識別情報ＰＩＤが示す位置毎に手指衛生が適切に行われているかを判定する。
【００６８】
変形例１の手指消毒剤測定装置１１によれば、所定の期間内に容器ＣＴが交換された場合であっても、位置毎に操作頻度ＯＦを算出し、手指衛生が適切に行われているかを判定することができる。
また、変形例１の手指消毒剤測定装置１１によれば、従事者は、病院内において、どの位置において手指衛生が適切に行われているかを把握することができる。また、変形例１の手指消毒剤測定装置１１によれば、従事者に対して手指衛生が適切に行われていない場所を提示することにより、当該位置において従事者に手指衛生の実施を促すことができる。
【００６９】
＜変形例２＞
以下、第２実施形態に係る変形例２について説明する。
第２実施形態では、手指消毒剤測定装置１１が操作頻度ＯＦや判定結果情報ＲＴを通信端末装置２０に送信する場合について説明した。
変形例２では、手指消毒剤測定装置１２が操作頻度ＯＦに基づいて、容器ＣＴの薬剤を使用する使用者に順位付を行い、当該順位を示す順位情報ＲＫを更に送信する場合について説明する。
なお、上述した実施形態及び変形例と同様の構成については、同一の符号を付して説明を省略する。
【００７０】
図１６は、変形例２に係る通信端末装置２０の表示の一例を示す図である。
図１６に示す通り、通信端末装置２０は、表示部２１４に手指消毒剤測定装置１２から受信した判定結果情報ＲＴ、及び順位情報ＲＫに基づいて、判定結果画像ＲＴＰを表示する。変形例２の判定結果画像ＲＴＰ（以下、判定結果画像ＲＴＰ３）には、順位情報ＲＫ、及び順位に関するメッセージ（以下、メッセージＭＳ２）等が含まれる。
変形例２において、判定結果画像ＲＴＰ３に含まれる順位情報ＲＫとは、例えば、領域ＲＧ毎の操作頻度ＯＦに基づく順位を示す情報（図１６に示す「１位：内科エリア、２位：外科エリア、３位：小児科エリア」）等である。また、判定結果画像ＲＴＰ３に含まれるメッセージＭＳ１とは、例えば、順位の向上（手指衛生の実施）を促すメッセージ(図１６に示す「現在の順位だよ！まだノルマを達成していないエリアは手指衛生を心がけよう」）等である。
以下、手指消毒剤測定装置１１、及び通信端末装置２０の具体的な機能構成について説明する。
【００７１】
＜手指消毒剤測定装置、及び通信端末装置の機能構成＞
図１７は、変形例２に係る手指消毒剤測定装置１２及び通信端末装置２０の機能構成の一例を示す図である。
変形例２の手指消毒剤測定装置１２は、制御部１０２と、記憶部５０１とを備える。
制御部１０２は、ＣＰＵを備えており、受信部１１０と、消費量算出部１２０と、操作頻度算出部１３０と、操作頻度判定部１４０と、送信部１５０と、順位付け部１６０とをその機能部として備える。
【００７２】
変形例２の操作頻度算出部１３０は、上述した構成によって、領域ＲＧ毎の操作頻度ＯＦを算出する。順位付け部１６０は、操作頻度算出部１３０が算出した領域ＲＧ毎の操作頻度ＯＦを取得する。
順位付け部１６０は、取得した領域ＲＧ毎の操作頻度ＯＦに基づいて、各領域ＲＧに順位を付加する。順位付け部１６０は、例えば、操作頻度ＯＦの数が多い領域ＲＧに高い順位を付加し、操作頻度ＯＦの数が少ない領域ＲＧに低い順位を付加する。
【００７３】
この一例では、順位付け部１６０は、４つの領域ＲＧのうち、上位３つの領域ＲＧに順位を付加する。順位付け部１６０は、例えば、内科エリア（領域ＲＧ１）に高い順位（１位）を付加し、外科エリア（領域ＲＧ２）に次に高い順位（２位）を付加し、小児科エリア（領域ＲＧ４）に次に高い順（３位）を付加する。順位付け部１６０は、付加した順位を示す順位情報ＲＫを送信部１５０に供給する。
送信部１５０は、判定結果情報ＲＴと、順位情報ＲＫとを通信端末装置２０に送信する。
【００７４】
＜変形例２のまとめ＞
以上説明したように、変形例２の手指消毒剤測定装置１１は、操作頻度ＯＦに基づいて、薬剤を使用する使用者（この一例では、従事者）を順位付けする順位付け部１６０を更に備える。
ここで、従事者は、診療科毎に分類され、分類された診療科の領域ＲＧにおいて診療を行う場合がある。この場合、領域ＲＧの操作頻度ＯＦは、当該領域ＲＧにおいて患者を診療する従事者が容器ＣＴを操作する操作頻度ＯＦと合致する。
変形例２の手指消毒剤測定装置１２によれば、通信端末装置２０によって順位情報ＲＫを提示し、従事者に対して手指衛生の意欲を向上させる演出を行うことができる。
【００７５】
なお、上述では、順位付け部１６０が操作頻度ＯＦの多い領域ＲＧの順に高い順位を付加する場合について説明したが、これに限られない。順位付け部１６０は、例えば、操作頻度基準に占める操作頻度ＯＦの割合が高い領域ＲＧの順に高い順位を付加してもよい。
【００７６】
＜病院内で使用される容器が複数の種類である場合について＞
なお、上述では、病院内では１種類の容器ＣＴが使用される場合について説明したが、これに限られない。例えば、病院内で複数の種類の容器ＣＴが使用される構成であってもよい。
図１８は、複数の種類の容器ＣＴが用いられる場合の吐出量情報ＤＲの一例を示す図である。
この場合、手指消毒剤測定装置（手指消毒剤測定装置１０、手指消毒剤測定装置１１、及び手指消毒剤測定装置１２）が備える記憶部（記憶部５００、及び記憶部５０１）には、複数の種類の吐出量情報ＤＲが予め記憶される（図１８に示す吐出量情報ＤＲ１、及び吐出量情報ＤＲ２）。
通信端末装置２０は、検出した容器ＣＴの種類を示す情報を手指消毒剤測定装置に送信する。手指消毒剤測定装置が備える操作頻度算出部１３０は、取得した容器ＣＴの種類を示す情報と、当該種類に対応する吐出量情報ＤＲとに基づいて、操作頻度ＯＦを算出する。
上述した構成によって、手指消毒剤測定装置は、病院内において複数の容器ＣＴが使用される場合であっても、操作頻度ＯＦを算出することができる。
【００７７】
なお、上述では、通信端末装置２０が画像検出部２２２を備える場合について説明したが、これに限られない。例えば、手指消毒剤測定装置１０が画像検出部２２２を備える構成であってもよい。この場合、通信端末装置２０は、容器ＣＴを撮像した画像Ｐを手指消毒剤測定装置１０に送信する。手指消毒剤測定装置１０が備える画像検出部２２２は、通信端末装置２０から受信した画像Ｐに基づいて、薬剤量情報ＡＤと、識別情報ＩＤとを検出する。
【００７８】
また、上述では、画像検出部２２２が、液面ＳＨと、容器ＣＴに付される目盛に基づいて、薬剤量を検出する場合について説明したが、これに限られない。ここで、容器ＣＴには、目盛が付されていない場合がある。この場合、通信端末装置２０は、容器ＣＴに封入可能な薬剤の容量が予め記憶され、通信端末装置２０は、容器ＣＴの容量と、液面ＳＨとに基づいて、薬剤量を検出する。
【００７９】
また、上述では、通信端末装置２０と、手指消毒剤測定装置とが別体に構成される場合について説明したが、これに限られない。例えば、通信端末装置２０が手指消毒剤測定装置の機能を有する構成であってもよい。
【００８０】
なお、上述した実施形態、及び変形例において、画像検出部２２２とは、薬剤量情報取得部の一例である。また、第１の時期の薬剤量情報ＡＤとは、第１薬剤量情報の一例である。また、第２の時期の薬剤量情報ＡＤとは、第２薬剤量情報の一例である。また、画像検出部２２２とは、容器識別部の一例である。また、画像検出部２２２とは、位置判定部の一例である。
【００８１】
なお、上記の各実施形態における手指消毒剤測定装置１０、手指消毒剤測定装置１１、手指消毒剤測定装置１２、及び通信端末装置２０が備える各部は、専用のハードウェアにより実現されるものであってもよく、また、メモリおよびマイクロプロセッサにより実現させるものであってもよい。
【００８２】
なお、手指消毒剤測定装置１０、手指消毒剤測定装置１１、手指消毒剤測定装置１２、及び通信端末装置２０が備える各部は、メモリおよびＣＰＵ（中央演算装置）により構成され、手指消毒剤測定装置１０、手指消毒剤測定装置１１、手指消毒剤測定装置１２、及び通信端末装置２０が備える各部の機能を実現するためのプログラムをメモリにロードして実行することによりその機能を実現させるものであってもよい。
【００８３】
また、手指消毒剤測定装置１０、手指消毒剤測定装置１１、手指消毒剤測定装置１２、及び通信端末装置２０が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００８４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００８５】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００８６】
１０、１１、１２…手指消毒剤測定装置、２０、２０−１、２０−２、２０−３…通信端末装置、１００、１０１、１０２…制御部、１１０…受信部、１２０…消費量算出部、１３０…操作頻度算出部、１４０…操作頻度判定部、１５０、２２３…送信部、１６０…順位付け部、２１０…撮像部、２１２…操作部、２１４…表示部、２２０…制御部、２２１…画像取得部、２２２…画像検出部、２２３…送信部、５００、５０１…記憶部、ＡＤ、ＡＤ１、ＡＤ１−１、ＡＤ１−２、ＡＤ１−３、ＡＤ２、ＡＤ３…薬剤量情報、ＣＨ…キャラクター、ＣＭ…消費量、ＣＴ、ＣＴ０、ＣＴ１、ＣＴ２、ＣＴ３、ＣＴ４、ＣＴ５、ＣＴ６、ＣＴ７、ＣＴ８、ＣＴ９、ＣＴ１０、ＣＴ１１、ＣＴ１２、ＣＴ１３、ＣＴ１４、ＣＴ１５、ＣＴ１６…容器、ＤＲ、ＤＲ１、ＤＲ２…吐出量情報、ＩＤ、ＩＤ１、ＩＤ２、ＩＤ３…識別情報、ＯＦ…操作頻度、Ｐ…画像、ＳＨ…液面、ＰＩＤ、ＰＩＤ１−１、ＰＩＤ１−４、ＰＩＤ２−１、ＰＩＤ２−４、ＰＩＤ３−１、ＰＩＤ３−４、ＰＩＤ４−１、ＰＩＤ４−４…位置識別情報、ＲＧ、ＲＧ１、ＲＧ２、ＲＧ３、ＲＧ４…領域、ＲＧＩ…領域位置情報、ＲＫ…順位情報、ＲＴ…判定結果情報、ＲＴＰ、ＲＴＰ１、ＲＴＰ２、ＲＴＰ３…判定結果画像
【図１】
2019028613.tif 000003
【図２】
2019028613.tif 000004
【図３】
2019028613.tif 000005
【図４】
2019028613.tif 000006
【図５】
2019028613.tif 000007
【図６】
2019028613.tif 000008
【図７】
2019028613.tif 000009
【図８】
2019028613.tif 000010
【図９】
2019028613.tif 000011
【図１０】
2019028613.tif 000012
【図１１】
2019028613.tif 000013
【図１２】
2019028613.tif 000014
【図１３】
2019028613.tif 000015
【図１４】
2019028613.tif 000016
【図１５】
2019028613.tif 000017
【図１６】
2019028613.tif 000018
【図１７】
2019028613.tif 000019
【図１８】
2019028613.tif 000020